(57)【特許請求の範囲】
【請求項１】
装置本体の外周に開閉可能に設けた開閉部の上縁が前記装置本体の上面に達し、該上面の一部を構成し、あるいは前記上面と連なる構成となっている装置の開閉用構造において、
前記装置本体の上面であって用紙を載置可能な部位には、前記上面より上方へ突出する部位が設けられ、
前記突出する部位は、前記開閉部の上端に隣接した位置に設けられ、且つ前記突出する部位の前記開閉部側の面が前記装置本体の前記開閉部と対向している面と連なっていることを特徴とする装置の開閉用構造。
【請求項２】
請求項１の装置の開閉用構造において、
前記突出する部位を、前記装置本体の上面であって用紙を載置可能な部位における前記開閉部側の側縁全体に沿って設けてなることを特徴とする装置の開閉用構造。
【請求項３】
請求項１の装置の開閉用構造において、
前記突出する部位を、前記装置本体の上面であって用紙を載置可能な部位における前記開閉部側の側縁全体に沿って連続して設けてなることを特徴とする装置の開閉用構造。
【請求項４】
請求項１から３のいずれかの装置の開閉用構造において、
前記突出する部位が、前記装置本体側の面を、前記装置本体側が低いスロープ面を備えることを特徴とする装置の開閉用構造。
【請求項５】
請求項１から３のいずれかの装置の開閉用構造において、
前記突出する部位の前記装置本体側の面が立面であることを特徴とする装置の開閉用構造。
【請求項６】
請求項４の装置の開閉用構造において、
前記突出する部位を設けた前記開閉部がある側とは反対側の前記装置本体側の端縁部に、前記装置本体側の面が立面である第２の突出する部位を設けたことを特徴とする装置の開閉用構造。
【請求項７】
請求項１から６のいずれかの装置の開閉用構造を備えたことを特徴とする画像形成装置。
【請求項８】
画像形成装置の周辺装置であって、請求項１から６のいずれかの装置の開閉用構造を備えたことを特徴とする周辺装置。
【請求項９】
前記装置本体の上面には、前記開閉部が設けられた縁側と交差する縁側に排紙トレイが設けられ、
前記排紙トレイと前記用紙を載置可能な部位との間の前記装置本体の上面領域には、前記用紙を載置可能な部位に対して上方に凸状の部位が設けられ、
前記凸状の部位における前記用紙を載置可能な部位側の面は、前記用紙を載置可能な部位側の面に向かって低くなる傾斜面が形成され、
前記突出する部位は、前記用紙を載置可能な部位、前記凸状の部位及び前記排紙トレイが形成されている前記装置本体の上面領域に亘り、該装置本体の上面の側端に沿って形成されていることを特徴とする請求項８の周辺装置。
【発明の詳細な説明】
【技術分野】
【０００１】
本発明は、装置の開閉用構造、例えば開閉可能な前ドアを有する複写機、プリンタ、ファクシミリ、それらの複合機等の画像形成装置や、そのような画像形成装置と組み合わせて用いられる排紙装置等の周辺装置の開閉用構造に関し、特に装置本体の上面部を形状、構造的に改良したものに関する。
【背景技術】
【０００２】
画像形成装置や周辺機の上面部には、用紙などを置かれることが多い。例えば、図７に示す画像形成装置（特許文献１の図４に示される画像形成装置（複写機）に相当する）のように、複写機本体ユニット２０、給紙トレイ２１〜２３、ＡＤＦ２４、原稿排紙トレイ２５、大量給紙ユニット２６、排紙ユニット２７のように、それぞれの前面形状をほとんど平たんな凹凸のない形状とし、また高さ及び奥行き寸法も一致させて構成し、複写機本体ユニット２０は、テーブル状の上面部２８のほぼ中央位置にＡＤＦ２４を設け、その右側に原稿排紙トレイ２５を配し、これらによって専有される部分以外の部分は平たんな面を形成するようにしてある。
【０００３】
大量給紙ユニット２６は複数の給紙段３０〜３２を備えるが、複写機本体ユニット２０の原稿排紙トレイ２５を避けるために切り欠いた部位を除いてやはり上面部３３を平たんな形状としてある。上面部３３の原稿排紙トレイ２５のために切り欠く部位は図示のようにわずかなものなので、ほぼ全面が平たん化している。
【０００４】
排紙ユニット２７は左側面に大量排紙トレイ３４を上下動可能に備えるとともに、上面部３５の左縁側中央部位を切り欠いて排紙トレイ３６を設けてあるが、上面部３５はこの排紙トレイ３６を設けた部位以外は平たんな形状としてある。
【０００５】
また複写機本体ユニット２０等の各ユニット２０、２６、２７の上面部２８、３３、３５は、それぞれ各ユニット２０、２６、２７の側面よりも外方へ突出してひさしを形成するように大きめに形成してある。具体的には、複写機本体ユニット２０の上面部２８は正面側と背面側に突出し、大量給紙ユニット２６の上面部３３は正面側と背面側に加えて右側面側に突出し、排紙ユニット２７の上面部３５は正面側と背面側に加えて左側面側に突出している。このため図示の装置の全体形状としては、図５に示すように全周にわたって略均等にひさし部Ｘが突出している。
【０００６】
このため各ユニット２０、２６、２７を単体で、あるいは連結して使用する場合、複写機本体ユニット２０の上面部２８及びＡＤＦ２４の上面、大量給紙ユニット２６の上面部３３、さらには排紙ユニット２７の上面部３５が連結されて非常に広い上部の平たん面をなり、近くに作業テーブル等がない状態で画像形成作業を行っても、原稿や画像形成済みの用紙、クリップやペン等を置く場所に困ることがない。
【０００７】
しかも、ひさし部Ｘが装置の全周にわたって突出しているので、画像形成作業を行うときに使用者の身体はひさし部Ｘの外周面には接触するものの、各上面部２８、３３、３５より下の装置の外周面に接触しにくくなり、作業の妨げになったり、衣服を引っかけたりしにくい。
【０００８】
ところが近年では、接地面積（詳細には投影接地面積）を小さくするために、上述のようにひさしを設けて接地面積を広くするタイプではなく、できるだけ装置の外周面内にすべての構成要素が収まっているタイプのものが主流となってきている。
【０００９】
一方、上述のような画像形成装置、システム、あるいはさらに大型のシステムを用いるプロダクションプリンティング市場においては、画像形成装置や各種装置周辺で使用される用紙には、注文書などの重要な用紙があることから、やはり、装置上面に用紙等を置いておけるスペースが存在することが望まれることについては事情は変わっておらず、種々の提案がなされている。
【００１０】
また、装置下部に用紙が入り込んでしまった場合には、装置が設置位置から用意には動かし得ないように、物理的に固定されているか、人力では動かし得ないような重量になっていたり、固定治具を使用して簡単には動かし得ないようにしていることが多いため、装置下部の接地面との隙間に入ってしまった用紙は取り難くなることがほとんどである。そのため、装置の上面に置いた用紙等の落下防止を図ることが希求されている。
【発明の概要】
【発明が解決しようとする課題】
【００１１】
本発明は、上述の問題点にかんがみ、ドアを開ける際に、その上面部に置かれた用紙等を引き込んで、あるいは装置外周側へ連れ動きさせ、ドアを開けた際に装置上面から落下させてしまうことを防止可能な構造を有する装置の開閉用構造、及び画像形成装置、その周辺装置を提供することを目的とする。
【課題を解決するための手段】
【００１２】
本発明の請求項１は、装置本体の外周に開閉可能に設けた開閉部の上縁が前記装置本体の上面に達し、該上面の一部を構成し、あるいは前記上面と連なる構成となっている装置の開閉用構造において、前記装置本体の上面であって用紙を載置可能な部位には、前記上面より上方へ突出する部位が設けられ、前記突出する部位は、前記開閉部の上端に隣接した位置に設けられ、且つ前記突出する部位の前記開閉部側の面が前記装置本体の前記開閉部と対向している面と連なっていることを特徴とする装置の開閉用構造である。
【００１３】
同請求項２に係るものは、請求項１の装置の開閉用構造において、前記突出する部位を、前記装置本体の上面であって用紙を載置可能な部位における前記開閉部側の側縁全体に沿って設けてなることを特徴とする。
【００１４】
同請求項３に係るものは、請求項１の装置の開閉用構造において、前記突出する部位を、前記装置本体の上面であって用紙を載置可能な部位における前記開閉部側の側縁全体に沿って連続して設けてなることを特徴とする。
【００１５】
同請求項４に係るものは、請求項１から３のいずれかの装置の開閉用構造において、前記突出する部位が、前記装置本体側の面を、前記装置本体側が低いスロープ面を備えることを特徴とする。
【００１６】
同請求項５に係るものは、請求項１から３のいずれかの装置の開閉用構造において、前記突出する部位の前記装置本体側の面が立面であることを特徴とする。
【００１７】
同請求項６に係るものは、請求項４の装置の開閉用構造において、前記突出する部位を設けた前記開閉部がある側とは反対側の前記装置本体側の端縁部に、前記装置本体側の面が立面である第２の突出する部位を設けたことを特徴とする。
【００１８】
同請求項７に係るものは、請求項１から６のいずれかの装置の開閉用構造を備えたことを特徴とする画像形成装置である。
【００１９】
同請求項８に係るものは、画像形成装置の周辺装置であって、請求項１から６のいずれかの装置の開閉用構造を備えたことを特徴とする周辺装置である。
また請求項９に係るものは、請求項８の周辺装置において、前記装置本体の上面には、前記開閉部が設けられた縁側と交差する縁側に排紙トレイが設けられ、前記排紙トレイと前記用紙を載置可能な部位との間の前記装置本体の上面領域には、前記用紙を載置可能な部位に対して上方に凸状の部位が設けられ、前記凸状の部位における前記用紙を載置可能な部位側の面は、前記用紙を載置可能な部位側の面に向かって低くなる傾斜面が形成され、前記突出する部位は、前記用紙を載置可能な部位、前記凸状の部位及び前記排紙トレイが形成されている前記装置本体の上面領域に亘り、該装置本体の上面の側端に沿って形成されていることを特徴とする。

【発明の効果】
【００２０】
本発明は、ドアを開けた際に装置上面から落下させてしまうことを防止可能な構造を提供できるとともに、用紙等の落下は防止しつつ、用紙等を装置上面から取り去る時のじゃまにならず、容易な取り去りを可能とし得る。
【図面の簡単な説明】
【００２１】
【図１】本発明の一実施例を示す斜視図（Ａ）と側面部分図（Ｂ）
【図２】本発明を説明するための比較例の平面図（Ａ）、（Ｂ）と、側面図（Ｃ）、（Ｄ）
【図３】本発明の実施例１の側面図
【図４】本発明の実施例１の用紙取り去り動作状態の側面図
【図５】本発明の実施例２の用紙取り去り動作状態の側面図
【図６】本発明の実施例３の側面図
【図７】画像形成装置に周辺機を組み合わせたシステムの例を示す斜視図
【発明を実施するための形態】
【００２２】
装置の開閉部、例えば前ドアを開ける際に、装置本体からはみ出してドアの上端部に置かれた用紙等をドアの開動作に引き込んでしまい、装置本体から引き出して落下させてしまうのを防ぐため、ドアの上縁に隣接させて装置本体の上面より上方へ突出する部位を設け、装置本体の上面に乗った用紙等がドアを開らく時にドアの開動作に引き込まれるのを防ぐフェンス機能を発揮させることで前記目的を達成する。
【実施例】
【００２３】
以下、本発明の実施例を、図面を参照して説明する。なお以下では、本発明を画像形成装置の周辺装置である排紙装置において実施した例について説明するが、本発明はこれに限定されず、画像形成装置そのものだけでなく、種々の装置において適用可能である。
【００２４】
＜実施例１＞
図１は本発明の一実施例を示す斜視図（Ａ）と側面部分図（Ｂ）である。図示の排紙ユニット１は、図７に示す排紙装置２７のように、排紙ユニット本体１ａの左側面に大量排紙トレイ２を上下動可能に備えるとともに、排紙ユニット本体１ａ上面部の左縁側中央部位を切り欠いて排紙トレイ３を設け、この排紙トレイ３を設けるために切り欠いた部位と複写機本体ユニット４との間に平坦面部５を形成してある。また排紙ユニット本体１ａ内でのジャム等の処理その他の作業のために開閉可能にした前ドア６を備える。
【００２５】
前ドア６は、上縁部６ａを曲面からなる部位とし、平坦面部５を含む排紙ユニット１の上面部全体の側縁に連ならせてある。すなわち、前ドア６を開ける（図１（Ａ）に矢印で示すように、排紙ユニット１の左側縁の側が回動支点となっている）と、排紙ユニット１を平面的に見た場合、あたかも排紙ユニット１の上面部の側縁部分が一部無くなるような態様になっている。
【００２６】
さらに、排紙ユニット本体１ａの平坦面部５を含む上面部全体の側縁に沿わせて、前ドア６の上縁部６ａの端縁に近づけて、突条７が形成してある。
【００２７】
ここで比較のために、排紙ユニット１の上面部の側縁部分に突条７が無い平坦な形状を有し、前ドア６の上縁部６ａの上面と面一あるいは略面一であるとした場合について図２を参照して説明する。図２（Ａ）、（Ｂ）は平面図、（Ｃ）、（Ｄ）は図１の複写機本体ユニット４側から見た側面図である。
【００２８】
まず図２（Ａ）、（Ｄ）に示すように、平坦面部５から前ドア６の上縁部６ａに掛けてユーザーが用紙Ｐ等を置いている状態であるとする。上縁部６ａの上面は上述のように曲面を形成しているので、用紙Ｐの端部は図２（Ｄ）に示すように、平坦面部５よりも下方へ垂れ下がっている状態になることが多い。そしてこの状態から前ドア６を開くと、前ドア６の上縁部６ａに乗っている用紙Ｐの寸法や、用紙Ｐと平坦面部５や前ドア６の上縁部６ａとの間に働く摩擦力にもよるが、図２（Ｂ）、（Ｃ）に示すように、用紙Ｐが前ドア６に開動作に引きずられて平坦面部５から出て行く方向へ移動してしまうことになりがちである。前ドア６を開く角度が小さかったり、用紙Ｐに働く摩擦力が大きくてあまり移動しないような場合には起こらないが、前ドア６の開き角度が大きかったり、摩擦力が小さくて用紙Ｐが滑りやすい状態であったりすると、用紙Ｐは、前ドア６が開くに連れて前ドア６側へ移動していき、コシが弱い用紙やシート材等では、前ドア６と排紙ユニット本体１ａの隙間Ｘに用紙Ｐの中程の部位が曲がって垂れ下がり、そのまま落ち込んでいって前ドア６と排紙ユニット本体１ａの間に落下することがある。
【００２９】
また、落下しないまでも上述のような垂れ下がりが生じていてそのまま前ドア６を閉めると、前ドア６と排紙ユニット本体１ａの間に用紙Ｐを挟んで折り曲げてしまうことなどが有り得る。さらに、コシが弱くはない用紙やシート材等では、上述のような落下形態ではないが、前ドア６が開く角度が大きいと、移動するに連れて後端側が平坦面部５から外れ、やはり前ドア６と排紙ユニット本体１ａの間に落下することがある。
【００３０】
一方、図３（Ａ）、（Ｂ）に示すように、突条７が形成してある本実施例の場合を説明する。この場合、平坦面部５から前ドア６の上縁部６ａに掛けてユーザーが用紙Ｐ等を置いても、図示のように突条７によって用紙Ｐの上縁部６ａ側がカーブした状態で持ち上がり、前ドア６の上縁部６ａの上面には触れないか、触れても用紙Ｐの端縁部分ぐらいが触れる状態になる。この状態から前ドア６を開くと、突条７が用紙Ｐの移動に対する障害となり、前ドア６の開き動作に用紙Ｐはほとんど影響されず、平坦面部５上に残り、上述のような落下は生じにくくなる。なおもちろん、前ドア６の開き角度によっては用紙Ｐの前ドア６側の端縁が前ドア６と排紙ユニット本体１ａの間に垂れ下がり、そのまま前ドア６を閉めて用紙Ｐを挟んでしまうことは有り得るが、用紙Ｐの途中部位ではなく端縁部分だけであるので、用紙Ｐを折り曲げてしまう可能性は小さい。
【００３１】
図４に突条７を乗り越えて用紙Ｐを平坦面部５上から取り上げる状態を示す。図示のように、突条７の平坦面部５側は、平坦面部５側が低いスロープ面７ｓとしてあるので、用紙Ｐを取りたい場合には、スロープ面７ｓに沿わせて滑らせることができ、平坦面部５上からの取り去りも容易である。なお、突状７の高さは、例えば４ｍｍ程度とすると、用紙Ｐの移動に対する障害としても、取り去るときの作業にも、それぞれ都合が良いことを本願発明者等は確認したが、本発明はこの寸法に限定されない。また突状７を設ける位置も、図示の例の位置に限定されず、平坦面部５の内側に寄っていても良い。
【００３２】
＜実施例２＞
図５は本発明の実施例２を示す図４相当の側面図である。本実施例の突条７ａは、断面が矩形となるものである。その他の構成は実施例１と同じである。この実施例の場合、平坦面部５上の用紙Ｐに対して突条７ａの平坦面部５側の立面が壁となるため、用紙Ｐの移動を阻止する機能としては先の実施例よりも高い。ただし、用紙Ｐを平坦面部５上から取り去る場合には、突条７のスロープ面７ｓを利用する先の実施例のようにはいかず、若干用紙の取り去り操作が面倒ではある。
【００３３】
＜実施例３＞
図６は本発明の実施例３を示す図４、図５相当の側面図である。本実施例は平坦面部５の両側（画像形成時の用紙の進行方向である図の紙面垂直方向で左右両側になる）に、それぞれ突条７、７ａを備えている。前ドア６側の突条７は実施例１のものと同形ものであり、逆側の突条７ａは実施例２のものと同形のものである。そのため、突条７ａ側ではその立面が平坦面部５上に置かれた用紙Ｐ等の移動に対するストッパとなり、突条７側では、実施例１と同様の作用を奏することになる。この例の場合、実施例１と同様の用紙Ｐの取り去り操作が可能であることはもちろん、用紙Ｐを突条７ａ側へ押して突条７ａの立面に押し当て、用紙Ｐを少したわませてから取り去るという操作も容易にできるようになるので便利である。
【００３４】
なお、上述した各実施例では、突条は平坦面部５の縁あるいは近傍に連続して設けているが、適度な寸法で断続的に設けてもよい。隣り合う突条同士の間から指を用紙P等の下側に入れやすくなったりして、操作が一層容易になる構造ともし得るからである。
【符号の説明】
【００３５】
１：排紙ユニット
１ａ：排紙ユニット本体
２：大量排紙トレイ
３：排紙トレイ
４：複写機本体ユニット
５：平坦面部
６：前ドア
６ａ：前ドアの上縁部
７：突条
７ａ：突条
７ｓ：突条のスロープ面
Ｐ用紙
【先行技術文献】
【特許文献】
【００３６】
【特許文献１】特開２００７−１８８１０６号公報
【特許文献２】特公昭６２−０４２８０９号公報
【特許文献３】特開平０６−０６４８２５号公報
【図１】
0005776965.tif 000002
【図２】
0005776965.tif 000003
【図３】
0005776965.tif 000004
【図４】
0005776965.tif 000005
【図５】
0005776965.tif 000006
【図６】
0005776965.tif 000007
【図７】
0005776965.tif 000008